(57)【要約】【課題】  グループで特定のサービスを受ける場合、全員がカード等を持たなくともそのサービスを受けることができるようにする。【解決手段】  利用者が、ＩＣカードまたはそれと同等か類似の機能を持つ記憶媒体（以下、ＩＣカードと記述する）を利用して、利用料金の決済を行う自動改札機において、ＩＣカードを所有する利用者（以下、親と記述する）とＩＣカードを所有しない利用者（以下、子と記述する）から構成されるグループ利用客（以下親子グループと記述する）が、自動改札機で決済を行うときに、単一のＩＣカードを使用して、親子グループ全員の利用料金決済を行うことで、親子グループが、簡便に利用料金の決済を行う自動改札機。【選択図】  図１
2005309883.tif 000002
【特許請求の範囲】
【請求項１】
ＩＣカードから本人認証に利用する情報を読み取り、利用者の本人認証を行う本人認証システムにおいて、
前記ＩＣカードに記録されている情報の読み取りと書き込みを行うＩＣカード情報入出力手段と
本人を識別するための情報の読み取りを行う本人識別情報入力手段と、
システムへの情報入力の結果やシステムの不正通過等を、利用者やシステム運用者等に通知する出力手段、利用者がシステムを通過等することを検知する検知手段と、
前記ＩＣカード情報入出力手段から入力される利用者本人を識別するために使用する情報、および前記本人識別情報入力手段から入力されるＩＤおよび前記生体情報、本人を識別するための情報を記録する利用者情報記憶手段と、
前記ＩＣカード情報入出力手段を介してＩＣカードを検知した場合、検知された前記ＩＣカードからＩＣカード所有者本人を識別するための情報を読み取り、読み取られた前記情報を基にそのＩＣカード所有者の本人認証を行い、ＩＣカードにＩＣカード所有者以外の本人識別情報がＩＣカード内に登録されている場合には、前記ＩＣカードから情報を読み取り、利用者情報記憶手段に記録する制御手段を有することを特徴とする本人認証システム。
【発明の詳細な説明】
【技術分野】
【０００１】
本発明は、ＩＣカードの利用者の認証を行う技術に関する。その中でも特に、利用料金を徴収する自動改札機に関する。
【背景技術】
【０００２】
従来、本人認証を行う場合（例えば自動改札機では）、各利用者が自動改札機を通過する際に、例えば特開２００２−１４０７４４の自動改札機のように、利用料金の決済手段を備えたＩＣカードを利用して、親本人の利用料金のみの決済を行う方法がある。または、親子グループの利用料金を単一のＩＣカードにて一括で決済するために、例えば、特許文献１の自動改札機のように、自動改札機において利用客人数をタッチパネルで入力する方法がある。
【０００３】
【特許文献１】特開平１０−１９８８２７号公報
【発明の開示】
【発明が解決しようとする課題】
【０００４】
親子グループが前記自動改札機を通過する際に、親はＩＣカードを所持しない利用者が、入場券を券売機で購入する等、ＩＣカードを所持しない利用者自身の利用料金の決済が完了するのを待たなければならないため、親は、入場券を券売機で購入する等に発生する時間を省略して自動改札機の通過を素早く行えるという特徴を活かすことができない。
【課題を解決するための手段】
【０００５】
上記問題を解決するための本発明の特徴は、ＩＣカードは生体認証情報等の格納領域と、子の利用料金決済を親の利用料金決済と別途行うためのクレジット機能を備え、自動改札機は、ＩＣカードに記録されている情報の読み取り、書き込みを行うＩＣカードリーダ／ライタ、生体認証情報を読み取る生体認証情報リーダ、前記生体認証情報リーダを介して読み取った生体認証情報を記録しておく記憶手段、制御手段を備え、ＩＣカードリーダ／ライタを介して、ＩＣカードから読み取った生体認証情報と、生体認証情報リーダを介して読み取った生体認証情報とを比較し、それらの生体認証情報が一致することを前記制御手段が判断することで、親が持つＩＣカードで子の利用料金決済も行える構成としたことである。
【０００６】
入口に設置する自動改札機では、自動改札機の制御部は、ＩＣカードリーダ／ライタを介してＩＣカードの利用を検知すると、ＩＣカードに記録されている生体認証情報と決済に利用する情報等をＩＣカードから読み取り、記憶手段に記録する。制御部が、生体認証情報リーダを介して自動改札機に入力される生体認証情報を読み取ると、ＩＣカードから読み取った生体認証情報と生体認証情報リーダを介して読み取ったその生体認証情報とを比較し、一致すればその利用者の自動改札機通過を許可する。
【０００７】
次に、出口に設置する自動改札機では、自動改札機の制御部が、ＩＣカードリーダ／ライタを介してＩＣカードの利用を検知すると、ＩＣカードに記録している、決済に利用する情報等と、ＩＣカードに記録している生体認証情報を読み取り、記憶手段に記録し、親の利用料金決済を行う。制御部が、生体認証情報リーダを介して自動改札機に入力される生体認証情報を読み取ると、その生体認証情報リーダを介して読み取った生体認証情報とＩＣカードから読み取った生体認証情報とを比較する。その比較の結果、一致する生体認証情報が記憶手段に存在すれば、制御部はＩＣカードリーダ／ライタから読み出した決済に利用する情報等から、子の決済を行い、その子の自動改札機通過を許可する。
【０００８】
そこで、本発明では、購入希望者（もしくはその代行者など）が製品購入もしくは製品特定するための入力項目を明確にすることを特徴とする。より具体的には、階層化され、製品の属する分野別に登録された仕様明確化ＤＢを用いて、製品等を特定するための入力項目を提示することである。なお、入力項目には、製品の有する仕様（機能）が含まれる。
【発明の効果】
【０００９】
上記の構成により、本発明では、グループで入退場する場合でも容易に本人確認が可能になる。
【発明を実施するための最良の形態】
【００１０】
以下、図面を用いて、本発明の自動改札機を鉄道システムの自動改札機として、また、生体認証情報として指紋情報を利用する場合の実施例を説明する。図１は本発明のブロック図である。本実施例での本発明のシステム構成は、自動改札機１０１、ＩＣカード乗車券１１１、指紋登録システム１２１、金融機関口座を利用した決済を行う際にその口座を管理する外部決済システム１３１、各自働改札機１０１と外部決済システム１３１を接続する外部接続システム１５１等から構成する。
【００１１】
自動改札機１０１は、ＩＣカード乗車券１１１の情報を読み書きするためのＩＣカードリーダ／ライタ１０２、利用者の指紋情報を読み取る指紋リーダ１０３、自動改札機１０１への利用者の入退場等を検知する利用者検知器１０４、自動改札機１０１が発する警告等を利用者または駅員等に通知する状態通知器１０５、自動改札機１０１から突出したり、警告を発したり等して、自動改札機１０１が入退場を許可しない利用者等の通過を阻止する通行阻止手段１０６、親のクレジット決済を利用して子の乗車料金決済を行うため、外部接続システム１５１等とデータの送受信を行うための通信手段１０７、ＩＣカード乗車券１１１から読み取った指紋情報等や指紋リーダ１０３を介して読み取った指紋情報を一時的に記録する利用者情報記憶手段１０８、自動改札機１０１全体を制御する制御手段１０９から構成する。
【００１２】
ＩＣカード乗車券１１１は乗車券アプリケーション１４１を搭載する。乗車券アプリケーション１４１の構成と詳細な説明は、図２を用いて後述する。
【００１３】
指紋登録システム１２１は、ＩＣカード乗車券１１１の情報を読み書きするためのＩＣカードリーダ／ライタ１２２、利用者の指紋情報を読み取る指紋リーダ１２３、システムの操作と情報の入力等を行う入力手段１２４、ＩＣカードリーダ／ライタ１２２と指紋リーダ１２３と入力手段１２４から入力した情報等や、指紋登録システムが行った処理結果等を、システム操作者に伝える出力手段１２５、ＩＣカードリーダ／ライタ１２２、指紋リーダ１２３、入力手段１２４等から入力された情報を記録する登録情報記憶手段１２６、指紋登録システム１２１全体を制御する制御手段１２７から構成する。指紋登録システム１２１は、各駅に少なくとも１箇所、または各主要駅に少なくとも１箇所設置され、駅員等オペレータによって操作されるシステムである。
【００１４】
外部接続システム１５１は、子の乗車料金決済を行うための親のクレジット決済要求を各自働改札機１０１から受信し、その要求に基づき、外部決済システム１３１にその決済処理要求を送信する。また、その決済処理結果を外部決済システム１３１より受信し、各自働改札機１０１に返信する。外部接続システム１５１は、各駅に少なくとも１箇所、または各主要駅に少なくとも１箇所設置されるシステムである。
【００１５】
外部決済システム１３１は、金融機関等によって管理・運用されている、金融機関口座を管理するシステムである。
【００１６】
図２は、ＩＣカード乗車券１１１の乗車券アプリケーション１４１に記録されるデータテーブルである。本実施例では、乗車券アプリケーション１４１に記録されるデータは、乗車券テーブル２０１と同行者テーブル２０２の２つのテーブルに分けて記録するものとする。乗車券テーブル２０１には、１件のレコードを格納しており、そのレコードを構成する要素は、カード番号１４２、残高データ１４３、乗車駅データ１４４、子決済情報１４７とする。カード番号１４２には、そのＩＣカード乗車券を一意に決定する番号を数値データとして記録する。残高データ１４３には、ＩＣカード乗車券１１１を所有する利用者の支払可能乗車料金を数値データとして記録する。乗車駅データ１４４は、利用者が乗車する駅を一意に識別し、駅ごとに重複が無いように設定された番号等を数値データとして記録する。降車駅で自動改札機１０１の制御手段１０９が乗車駅データ１４４をチェックすることにより、そのＩＣカード乗車券１１１を所有する利用者が、どの駅から乗車したのかを判断することが可能となる。子決済情報１４７には、子の乗車料金決済を行うために必要となる金融機関決済情報を、文字列データとして記録する。ここで挙げる金融機関決済情報とは、例えばクレジット決済を行うためのクレジットカード番号や、口座引き落としのための金融機関コード、口座番号等である。
【００１７】
同行者テーブル２０２には、複数のレコードを格納しており、レコードを構成する要素は、子名前データ１４５、指紋データ１４６、料金区分データ１４８とする。子名前データ１４５は、子の名前を文字列として格納しており、指紋登録システム１２１等で、オペレータや利用者等が、ＩＣカード乗車券１１１に登録している指紋データ１４６が、どの子のものであるのかを判別するために使用される。指紋データ１４６には、指紋登録システム１２１で読み取る子の指紋データを記録する。本実施例では、指紋データ１４６は指紋の特徴点（指紋の特徴を表す部分）を8箇所抽出し、その８個の特徴点で表現するものとする。料金区分データ１４８には、指紋登録システム１２１で選択する、大人料金、小人料金、学生料金といった子の料金区分をデータとして記録する。本実施例では、料金区分は大人料金、小人料金の二種類のみで、大人料金を１、小人料金を２とし、数値として表現するものとする。
【００１８】
図３は、本実施例の全体の流れを示すフロー図である。乗車を行う前に予め、親は同行者として認める子を伴い、指紋登録システム１２１設置場所に行き、ＩＣカード乗車券１１１に子の指紋情報の登録を行う。ＩＣカード乗車券１１１への子の情報登録は、必ずしも乗車を行うたびに行う必要はなく、一度登録を行えば、未登録の子を同行させない限り変更する必要なく使用することが可能である。駅構内進入時には、親はＩＣカード乗車券１１１を利用して自動改札機１０１を通過して駅構内に進入し、子はＩＣカード乗車券１１１に登録した指紋データ１４６に該当する自分の指紋を、指紋リーダ１０３を介して自動改札機１０１に読み取らせて自動改札機１０１を通過する。目的地でも同様に、親はＩＣカード乗車券１１１を利用して、自動改札機１０１を通過して駅構内から退出し、子はＩＣカード乗車券１１１に登録した指紋データ１４６に該当する自分の指紋を、指紋リーダ１０３を介して自動改札機１０１に読み取らせ、自動改札機１０１を通過する。子の情報は、自動改札機１０１を通過して構内にいるとき以外であれば、指紋登録システム１２１を利用して変更や削除を行うことも可能である。本フロー図における各プロセスである、子の指紋登録３０１の説明は図４を、自動改札機を利用して構内に進入３０２の説明は図６を、自動改札機を利用して構内から退出３０３の説明は図７を、子の情報編集３０４の説明は図１１を使用して後述する。
【００１９】
図４は、図３の子の指紋登録３０１を説明するフロー図である。子の指紋情報を、ＩＣカード乗車券１１１に登録するには、指紋登録システム１２１を使用する。オペレータは、指紋登録システム１２１を起動する（４０１）。オペレータは指紋リーダ１２３を介して子の指紋データを、入力手段１２４を介して子の料金区分データ１４８、子名前データ１４５等を入力する（４０２）。その後指紋登録システム１２１は、ＩＣカードリーダ／ライタ１２２を介して、ＩＣカード乗車券１１１に、子名前データ１４５、指紋デ−タ１４６、料金区分データ１４８等を書き込む（４０３）。以上で一人分の子の情報登録は完了するが、もし他にＩＣカードに子の情報を登録すべき子がいるのであれば（４０４）、上記処理を子の人数分繰り返す。ＩＣカード乗車券１１１への必要な人数分の子の情報登録を完了すると、オペレータは指紋登録システム１２１を終了する（４０５）。指紋登録システム１２１での入力操作方法、画面表示の詳細等については、図５を使用して後述する。
【００２０】
図５は、指紋登録システム１２１の出力手段１２５で表示される、指紋登録システム１２１の画面遷移図の一例である。指紋登録システム１２１は、起動時には初期画面として指紋登録システム画面５０１が表示される。指紋登録システム画面５０１には、新規指紋データ登録ボタン５０２と、既存指紋データ変更ボタン５０３と、終了ボタン５０４が配置されている。新規指紋データ登録ボタン５０２が押下されると、指紋登録システム画面５０１は、新規指紋データ登録画面５１１に移行する。既存指紋データ変更ボタン５０３が押下されると、指紋登録システム画面５０１は、既存指紋データ変更画面５２１に移行する。終了ボタン５０４が押下されると、指紋登録システム１２１はシステムを終了する。
【００２１】
新規指紋データ登録画面５１１には、指紋読取ボタン５１２と、指紋書込ボタン５１４と、メニューに戻るボタン５１５と、ＩＣカード乗車券１１１の、乗車券アプリケーション１４１の料金区分データ１４８に書き込むデータを選択するための、料金区分ボックス５１３と、ＩＣカード乗車券１１１の、乗車券アプリケーション１４１の子名前データ１４５に書き込むデータを入力するための、名前ボックス５１７と、指紋登録システム１２１が、指紋リーダ１２３を介して読み取る指紋データを表示するための、指紋データ表示ウィンドウ５１６が配置されている。指紋読取ボタン５１２が押下されると、新規指紋データ登録画面５１１は、指紋データ読込画面５３１に移行する。指紋書込ボタン５１４が押下されると、新規指紋データ登録画面５１１は、登録実行画面５４１に移行する。メニューに戻るボタン５１５が押下されると、新規指紋データ登録画面５１１は、指紋登録システム画面５０１に移行する。
【００２２】
既存指紋データ変更画面５２１には、更新ボタン５２２と、削除ボタン５２３と、メニューに戻るボタン５２４と、指紋登録システム１２１が指紋リーダ１２３を介して読み取る、複数の指紋データ１４６のレコード番号を表示するレコード番号ボックス５２５と、そのレコード番号を減少させる前ボタン５２６と、そのレコード番号を増加させる後ボタン５２７と、指紋登録システム１２１が、指紋リーダ１２３を介して読み取る指紋データ１４６に対応する料金区分データ１４８を表示する料金区分ボックス５２８と、指紋登録システム１２１が指紋リーダ１２３を介して読み取る指紋データ１４６を表示するための指紋データ表示ウィンドウ５２９が配置されている。更新ボタン５２２が押下されると、既存指紋データ変更画面５２１は、更新実行画面５７１に移行する。削除ボタン５２３が押下されると、既存指紋データ変更画面５２１は、削除実行画面５８１に移行する。メニューに戻るボタン５２４が押下されると、既存指紋データ変更画面５２１は、指紋登録システム画面５０１に移行する。
【００２３】
指紋データ読込画面５３１には、中止ボタン５３２が配置されている。中止ボタン５３２が押下されると、指紋データ読込画面５３１は、新規指紋データ登録画面５１１に移行する。指紋登録システム１２１の指紋リーダ１２３を介して、指紋データが読み込まれ始めると、指紋データ読込画面５３１は、読込中画面５５１に移行する。
【００２４】
登録実行画面５４１には、続行ボタン５４２と中止ボタン５４３が配置されている。続行ボタン５４２が押下されると、登録実行画面５４１は、登録完了画面５６１に移行する。中止ボタン５４３が押下されると、登録実行画面５４１は、新規指紋データ登録画面５１１に移行する。
【００２５】
読込中画面５５１は、指紋登録システム１２１が指紋リーダ１２３を介して、指紋データの読み取りを完了すると、新規指紋データ登録画面５１１に移行する。
【００２６】
登録完了画面５６１には、ＯＫボタン５６２が配置されている。ＯＫボタン５６２が押下されると、登録完了画面５６１は、新規指紋データ登録画面５１１に移行する。
【００２７】
更新実行画面５７１には、続行ボタン５７２と中止ボタン５７３が配置されている。続行ボタン５７２が押下されると、更新実行画面５７１は、更新完了画面５９１に移行する。中止ボタン５７３が押下されると、更新実行画面５７１は、既存指紋データ変更画面５２１に移行する。
【００２８】
削除実行画面５８１には、続行ボタン５８２と中止ボタン５８３が配置されている。続行ボタン５８２が押下されると、削除実行画面５８１は削除完了画面５Ａ１に移行する。中止ボタン５８３が押下されると、更新実行画面５８１は、既存指紋データ変更画面５２１に移行する。
【００２９】
更新完了画面５９１には、ＯＫボタン５９２が配置されている。ＯＫボタン５９２が押下されると、更新完了画面５９１は、既存指紋データ変更画面５２１に移行する。
【００３０】
削除完了画面５Ａ１には、ＯＫボタン５Ａ２が配置されている。ＯＫボタン５Ａ２が押下されると、更新完了画面５９１は、既存指紋データ変更画面５２１に移行する。
【００３１】
図６は、図３の自動改札機を利用して構内に進入３０２を説明するフロー図である。本実施例では、親は指紋データを利用して乗車する子より前に、自動改札機１０１を通過する場合を例とする。自働改札機１０１は一定時間ごとにＩＣカードリーダ／ライタ１０２または指紋リーダ１０３を介して情報の入力があるかどうかをチェックし（６０２）、利用者からの情報入力があるまで待ちつづける（６０１）。利用者が自動改札機１０１を通過して駅構内に進入する際、自動改札機１０１は、利用者がＩＣカードリーダ／ライタ１０２を介してＩＣカード乗車券１１１の情報を自働改札機１０１に入力するか（６０３）、指紋リーダ１０３を介して指紋データを自働改札機１０１に入力するか（６０４）をチェックする。利用者がＩＣカードリーダ／ライタ１０２を介してＩＣカード乗車券１１１の情報を自働改札機１０１に入力して自働改札機１０１を通過する場合、自動改札機１０１は、ＩＣカードリーダ／ライタ１０２を介して、子の指紋データ１１５をＩＣカード乗車券１１１の乗車券アプリケーション１４１から読み取り、利用者情報記憶手段１０８に保存する（６０５）。自働改札機１０１は、親の初乗乗車料金をＩＣカード乗車券１１１のＩＣカードアプリケーション１４１が持つ残高データ１４３から差し引き、乗車駅データに乗車駅の情報を書き込む（６０６）。その後、自動改札機１０１は利用者の通過を許可する（６０７）。利用者が指紋リーダ１０３を介して指紋データを自働改札機１０１に入力して自働改札機１０１を通過する場合、自動改札機１０１は指紋リーダ１０３を介して利用者の指紋データを取得し、利用者情報記憶手段１０８に保存されている指紋データと比較を行う（６０８）。この指紋データの比較の結果（６０９）、一致する指紋データが利用者情報記憶手段１０８に存在する場合、自動改札機１０１は利用者の自働改札機１０１通過を許可し、一致した指紋データを利用者情報記憶手段１０８から削除する（６１０）。一致する指紋データが利用者情報記憶手段１０８に存在しない場合、自働改札機１０１は利用者の自働改札機１０１通過を許可しない（６１１）。
【００３２】
なお、親よりも前に子が自働改札機１０１を通過して、駅構内に進入しようとしたり、子のみが駅構内に進入しようとしたりする場合、子の通過時には、自働改札機１０１の利用者情報記憶手段１０８に、その子の指紋データが記録されていないため、自働改札機１０１はその子の通過を許可しない。
【００３３】
図７は、図３の自動改札機を利用して構内から退出３０３を説明するフロー図である。本実施例では、ＩＣカード乗車券１１１を所有する利用者は、同行する指紋データを利用して乗車する利用者より前に、自動改札機１０１を通過する場合を例とする。自働改札機１０１は一定時間ごとにＩＣカードリーダ／ライタ１０２または指紋リーダ１０３を介して情報の入力があるかどうかをチェックし（７０２）、利用者からの情報入力があるまで待ちつづける（７０１）。利用者が自動改札機１０１を通過して構内から退出する際、自動改札機１０１は、利用者がＩＣカードリーダ／ライタ１０２を介してＩＣカード乗車券１１１の情報を自働改札機１０１に入力するか（７０３）、指紋リーダ１０３を介して指紋データを自働改札機１０１に入力するか（７０４）をチェックする。利用者がＩＣカードリーダ／ライタ１０２を介してＩＣカード乗車券１１１の情報を自働改札機１０１に入力して自働改札機１０１を通過する場合、自動改札機１０１は、ＩＣカードリーダ／ライタ１０２を介して、ＩＣカード乗車券１１１のＩＣカードアプリケーション１４１から、カード番号１４２、乗車駅データ１４４、子決済情報１４７、指紋データ１４６、料金区分データ１４８を読出し、利用者情報記憶手段１０８に保存する（７０５）。自働改札機１０１は親の乗車料金が、初乗乗車料金で支払った額を上回っているかどうかをチェックし（７０６）、親の乗車料金が、初乗乗車料金で支払った額を超えている場合、自働改札機１０１は、ＩＣカード乗車券１１１のＩＣカードアプリケーション１４１が持つ残高データ１４３から乗車料金の不足分を差し引いた後（７０７）、自働改札機は利用客の自働改札機通過を許可する（７０８）。親の乗車料金が、初乗乗車料金以下の場合、自働改札機は利用客の自働改札機通過を許可する（７０８）。
【００３４】
利用者が指紋リーダ１０３を介して指紋データを自働改札機１０１に入力して自働改札機１０１を通過する場合、自動改札機１０１は指紋リーダ１０３を介して利用者の指紋データを取得し、利用者情報記憶手段１０８に保存されている指紋データと比較を行う（７０９）。この指紋データの比較の結果（７１０）、一致する指紋データが利用者情報記憶手段１０８に存在する場合、自動改札機１０１は子の乗車料金の決済を行う（７１１）。子の乗車料金決済７１１の詳細は、図８を使用して後述する。子の乗車料金決済の結果、利用者情報記憶手段１０８に指紋データを持たないカード番号１４２が存在するかどうかをチェックし（７１２）、利用者情報記憶手段１０８に指紋データを持たないカード番号１４２が存在する場合、そのカード番号１４２、そのカード番号１４２に対応する乗車駅データ１４４、子決済情報１４７を利用者情報記憶手段１０８から削除する（７１３）。一致する指紋データが利用者情報記憶手段１０８に存在する場合、自動改札機１０１は利用者の自働改札機１０１通過を許可しない（７１４）。
【００３５】
なお、親よりも前に子が自働改札機１０１を通過して、駅構内から退出しようとする場合、子の通過時には、自働改札機１０１の利用者情報記憶手段１０８に、その子の指紋データが記録されていないため、自働改札機１０１はその子の通過を許可しない。さらに、駅構内への進入は正常に行ったものの、子が故意に親とは異なる駅で自働改札機１０１を通過して駅構内から退出しようとする場合も、自働改札機１０１の利用者情報記憶手段１０８に、その子の指紋データが記録されていないため、自働改札機１０１はその子の通過を許可せず、その子は駅員に正規の利用料金を支払なければ退出できない。この場合、子がどの駅から乗車したのかを確認する方法は、子からの申請情報を基に、その乗車駅の自働改札機１０１に残された指紋データを検出して確認する方法が可能である。また、子が過失または事故等により親と異なる駅で自働改札機を通過して駅構内から退出しようとする場合も同様に、その子の指紋データが記録されていないため、自働改札機１０１はその子の通過を許可されない。この場合、親が持つＩＣカード乗車券１０１の乗車券アプリケーション１４１に格納された指紋データ１４６と、子自身の指紋情報を基に、両者の位置確認が可能となり、子が迷子であったりした場合には、その子を親のいる場所に誘導することが容易となる。
【００３６】
図８は、図７の子の乗車料金決済処理７１１を説明するフロー図である。自働改札機１０１は、利用者の自働改札機通過を許可する（８０１）。自働改札機１０１は指紋リーダ１０３を介して取得した指紋データと、ＩＣカード乗車券１１１のＩＣカードアプリケーション１４１が持つ指紋データの比較の結果、合致した指紋データと、その指紋データに対応する料金区分データ１４８から子の乗車料金総計を計算し（８０２）、子決済情報１４７を基に、自働改札機１０１はその請求を行う情報通信手段１０７を介して外部接続システム１５１経由で外部決済システム１３１に送信する（８０３）。その後、合致した指紋データを利用者情報記憶手段１０８から削除する（８０４）。
【００３７】
図９は、親子グループ（本例では、うち子は２人）が、自動改札機１０１を通過して構内に進入する際の、指紋データの扱いを説明する図である。本実施例では、構内に進入する際には、親の進入は、子の前とする場合を例とする（９０１）。親が自動改札機１０１を通過して構内に進入する際に、自働改札機１０１は、ＩＣカード乗車券１１１のＩＣカードアプリケーション１４１が持つ指紋データ１４６を読み取り、利用者情報記憶手段１０８に保存する。そして親の初乗乗車料金の決済を行い、ＩＣカード乗車券１１１のＩＣカードアプリケーション１４１が持つ乗車駅データ１４４に乗車駅情報を書き込んだ後、親の自働改札機１０１通過を許可する（９０２）。子は自動改札機１０１を通過して構内に進入する際に、指紋リーダ１０３を介して、指紋データを自動改札機１０１に読み取らせる。自動改札機１０１の制御手段１０９は、指紋リーダ１０３を介して読み取った指紋データを、利用者情報記憶手段１０８に保存している指紋データと比較し、合致する指紋データが存在すれば、合致した指紋データを利用客情報記憶手段１０８から削除し、その子の自働改札機１０１通過を許可する（９０３）。この処理を人数分（本実施例では２人分）繰り返し、子全員の自働改札機１０１通過を完了する（９０４）。
【００３８】
図１０は、親子グループ（本例では、うち子は２人）が、自動改札機１０１を通過して構内から退出する際の、指紋データの扱いを説明する図である。本実施例では、構内から退出する際には、親の進入は、子の前とする場合を例とする（１００１）。親が自動改札機１０１を通過して構内から退出する際に、自働改札機１０１は、ＩＣカードリーダ／ライタ１０２を介して、ＩＣカード乗車券１１１のＩＣカードアプリケーション１４１が持つカード番号１４２、乗車駅データ１４３、子決済情報１４７、指紋データ１４６、料金区分データ１４８を、自動改札機１０１の利用者情報記憶手段１０８に保存し、親の乗車料金の決済を行う（１００２）。子は自動改札機１０１を通過して、構内から退出する際に、指紋リーダ１０３を介して、指紋データを自動改札機１０１に読み取らせる。自動改札機１０１の制御手段１０９は、読み取った指紋データと、利用者情報記憶手段１０８に記録している指紋データを比較する。比較の結果、合致する指紋データが存在する場合のみ、利用者情報記憶手段１０８に記録している、合致する指紋データを削除して、子の自動改札機１０１の通過を許可する（１００３）。この処理を人数分（本実施例では２人分）繰り返し、子全員の自働改札機１０１通過を完了する（１００４）。
【００３９】
図１１は、図３の子の情報編集３０４を説明するフロー図である。ＩＣカード乗車券１１１に登録済みの、子の料金区分データ１４８を編集するには、指紋登録システム１２１を使用する。オペレータは、指紋登録システム１２１を起動する（１１０１）。指紋登録システム１２１の起動後、オペレータは既存の指紋データに関する情報の編集を行うのか、削除を行うのかを選択する（１１０２）。編集を行う場合、オペレータは入力手段１２４を介して、指紋登録システム１２１で変更する子の情報を選択し（１１０３）、その変更する子の新しい料金区分データを選択する（１１０４）。指紋登録システム１２１はＩＣカードリーダ／ライタ１２２を介して、ＩＣカード乗車券１１１に搭載された乗車券アプリケーション１４１の同行者テーブル２０２から選択された指紋データ１４６が格納されているレコードの料金区分データ１４８を変更されたデータに更新する（１１０５）。削除を行う場合、オペレータは入力手段１２４を介して、指紋登録システム１２１で削除する子の指紋データを選択し（１１０６）、選択した子の情報の削除を実行する（１１０７）。指紋登録システム１２１はＩＣカードリーダ／ライタ１２２を介して、ＩＣカード乗車券１１１に搭載された乗車券アプリケーション１４１の同行者テーブル２０２から選択された指紋データ１４６が格納されているレコードを削除する（１１０８）。更新または削除処理は複数人数分行うのであれば上記処理を繰り返し実行し（１１０９）、必要な子の人数分の更新または削除が完了すれば、オペレータは指紋登録システム１２１を終了する（１１１０）
本実施例では、指紋データを使用して自動改札機１０１を通過する利用者の指紋データを記録するため、各自動改札機１０１が利用者情報記憶手段１０８を所有しているが、各自動改札機１０１が利用者情報記憶手段１０８を所有する代わりに各自動改札機が共通に使用できる１つの記憶手段を所有することで、親と、その親に同行する子が異なる自動改札機１０１を通過して構内に進入する、または駅構内から退出する運用も可能となり、利用者の利便性を向上することが可能である。
【００４０】
本実施例では、料金区分が大人料金、小人料金と区別されていることを前提としているが、年齢による料金区分の以外に、性別・職種等それ以外の要素に対応するデータを、ＩＣカード乗車券１１１の乗車券アプリケーション１４１の料金区分データ１４８に、それぞれ設定することで、年齢、性別等の条件によって徴収する料金の区別するサービスを提供することが可能となる。
【００４１】
本実施例では、鉄道システムで使用する場合を想定して説明しているが、その用途に限定するものではなく、それ以外の乗物用の自働改札機での使用も可能である。また、遊園地、動物園、水族館等の施設への入場料金支払システム等としても、例えば年間フリーパス所有者を親、その同行者を子とすることで使用可能である。
【００４２】
本実施例では、利用料金徴収のための自働改札機で使用する場合を想定して説明しているが、その用途に限定するものではなく、会社敷地、部外者立入禁止地域等の入退出者管理等、利用料金徴収を行わずに入退出や通行規制等の管理を行うためのシステムとしても、例えば会社員等その敷地内の入退出許可証所有者を親とし、その敷地内に一時的に進入する訪問者等を子とすることで使用可能であり、この使用用途では、社員は訪問者全員に入館証を配布しなくてもよくなる。
【００４３】
本実施例では、ＩＣカード乗車券１１１への指紋データ１４６の登録は、ＩＣカード乗車券１１１を使用して自動改札機１０１を通過する以前に、指紋登録システム１２１設置場所で予め行うとしているが、自動改札機１０１等にＩＣカード乗車券１１１への指紋データ１４６登録機能を持たせることで、指紋登録システム設置場所に行くことなしに、ＩＣカード乗車券１１１に指紋データ１４６を登録することも可能である。
【００４４】
本実施例では、ＩＣカード乗車券１１１に記録した子の情報の編集は、駅構内に進入する前、および駅構内から退出した場合のみと限定しているが、それ以外のときであっても、子の同行状況を示す情報の一貫性が守られるのであれば、子の情報の編集を行うことが可能である。
【００４５】
本実施例では、乗車券テーブル２０１のレコードには、カード番号１４２、残高データ１４３、乗車駅データ１４４、子決済情報１４７を想定しているが、乗車地から降車地に至る経路が何通りか存在し、経路によって利用料金が異なる場合等、経路の情報が必要になるような場合には、経由地データを乗車券テーブル２０１のレコードに設定することにより、経路を考慮して決済を行うことが可能である。
【００４６】
本実施例では、乗車駅データ１４４は、駅ごとに重複が無いように設定された数値データとしているが、例えば文字列を使用して駅名を乗車駅データ１４４として使用するなど、各駅を一意に示すことが可能なデータであれば、数値データ以外のデータを使用することも可能である。
【００４７】
本実施例では、指紋データ１４６は、指紋の特徴点（指紋の特徴を表す部分）を8箇所抽出し、その８個の特徴点を指紋データ１４６として使用しているが、例えば特徴点の数を増減することが可能である。また、指紋の画像等を使用して指紋データ１４６とすることも可能である。
【００４８】
本実施例では、親の利用料金の決済を行うタイミングを、乗車駅で初乗乗車料金分を決済し、降車駅にて超過乗車料金が発生している場合には、その不足分を決済するものとしているが、必ずしも決済タイミングをこの通りに限定するものではなく、例えば乗車駅では決済せずに降車駅で全額分の決済を行ったり、利用料金を固定にし、乗車駅で全額分の決済を行ったり等、その他のタイミングとすることも可能である。または、子の利用料金決済と併せて、クレジット決済で支払うことも可能である。
【００４９】
本実施例では、料金区分データ１４８は、大人料金を１、小人料金を２と設定する数値データとしているが、例えば文字列を使用して「大人料金」「小人料金」を示すなど、料金区分を示すことが可能なデータであれば、数値データ以外のデータを使用することも可能である。
【００５０】
本実施例では、子名前データ１４５は、指紋データ１４６の所有者の名前を文字列データとして使用するとしているが、所有者を特定できる情報であれば、例えば名前以外の情報を使用したり、文字列データ以外のデータを使用したりすることも可能である。
【００５１】
本実施例では、駅ＩＤデータは、駅ごとに重複が無いように設定された数値データとしているが、例えば文字列を使用して駅名を駅ＩＤデータとして使用するなど、各駅を一意に示すことが可能なデータであれば、数値データ以外のデータを使用することも可能である。
【００５２】
本実施例では、親が持つＩＣカード乗車券１１１と、そのＩＣカード乗車券１１１が代わって決済を行う子を紐付ける情報として、指紋情報を子の生体認証情報として使用しているが、例えば虹彩情報、静脈情報等、その他の生体認証情報を使用することも可能である。また、親が持つＩＣカード乗車券１１１と、そのＩＣカード乗車券１１１が代わって決済を行う子を結びつける情報そのものとして、生体認証情報の代わりに、親が持つＩＣカード乗車券１１１と紐付けされた、決済機能を持たないＩＣカードやＩＣタグ、ＩＣカードのチップを格納する携帯電話等、他の情報記憶媒体を使用することも可能である。
【００５３】
本実施例では、子決済情報１４７として、親が持つクレジットカード番号を想定しているが、クレジット決済を行うために、カード有効期限、暗証番号等、その他にクレジット決済を行う際に情報が必要となる場合には、それらの情報を子決済情報１４７に含めるものとする。
【００５４】
本実施例では、子の乗車料金決済を行うのは、親が持つクレジットカードを使用した決済としているが、例えば、子決済情報に親が持つ金融機関口座情報等を格納し、口座引き落とし等、クレジット決済以外の方法も利用して子の乗車料金決済を行うことも可能である。
【００５５】
本発明で使用するＩＣカード乗車券１１１は非接触型ＩＣカードを前提としているが、自動改札機１０１のＩＣカードリーダ／ライタ１０２を対応させることで、接触型ＩＣカードを使用することも可能である。
【００５６】
本実施例では、指紋登録システム１２１の操作は、駅員等オペレータが行うことを想定しているが、例えば、子の料金区分データ１４８に登録するデータが本当に正しいものであるかどうか等、登録情報が正しいものであるかどうかを確認することが可能であるならば、必ずしも駅員等オペレータが行う必要はなく、ＩＣカード乗車券１１１所有者自身等が行うことも可能である。
【００５７】
本実施例では、指紋登録システム１２１で行うＩＣカード乗車券１１１の乗車券アプリケーション１４１に格納された情報の修正は料金区分データ１４８のみとしているが、子名前データ１４５、指紋データ１４６等、その他のデータに関しても修正を行うことも可能である。
【００５８】
本実施例では、指紋登録システム１２１で行うＩＣカード乗車券１１１の乗車券アプリケーション１４１に格納された削除は、同行者テーブル２０２に格納された情報のうち、選択した子の情報のみを、レコード単位で削除するとしているが、レコード単位ではなくデータ単位での削除であったり、全情報を対象にした削除であったりしてもよい。
【００５９】
以上、本発明の実施例の一例を、図面を参照しながら記述したが、具体的な構成は本実施例の構成に限られるものではなく、本発明の主旨に反しない範囲での構成変更等があっても、本発明には含まれるものとする。
【００６０】
本発明の実施の形態として、ここで挙げた一実施例以外の方法に、ネットワーク利用方式が考えられる。以下、図１２を用いて、本方式の特徴を説明する。この方式では、各駅の各自働改札機１０１がネットワークで結ばれている（１２０１）。親子グループが乗車駅で自働改札機１０１を通過して駅構内に進入する際には、親が最初にＩＣカード乗車券１１１を使用して進入する。その際、自働改札機１０１は、ＩＣカードリーダ／ライタ１０２を介してＩＣカード乗車券１１１から子の指紋データ１４６を読み取る（１２０２）。子の進入時には、子は指紋リーダ１０３を介して自働改札機１０１に自身の指紋データを読み取らせ、自働改札機１０１は読み取った指紋データをＩＣカード乗車券１１１から読み取った指紋データ１４６と比較し、一致する場合のみ、子の進入を許可する（１２０２）。自働改札機１０１はこのとき、一致した指紋データが登録されていたＩＣカード乗車券１１１の、カード番号１４２と同行者テーブル２０２のレコード番号を、実際に同行する子の情報として記憶しておく（１２０３）。親子グループが降車駅で自働改札機１０１を通過して駅構内から退出する際には、親が最初にＩＣカード乗車券１１１を使用して退出する。その際、自働改札機１０１はＩＣカード乗車券１１１から、子の指紋データ１４６とともに乗車駅データ１４４を読み取り、その乗車駅データ１４４を基に、ネットワークを介して乗車駅の自働改札機１０１が記憶する実際に同行する子の情報を取得することで、親と、その親に同行する子の乗車料金を計算し、ＩＣカード乗車券１１１の残高データ１４３から決済する（１２０４）。子の退出時には、子は指紋リーダ１０３を介して自働改札機１０１に自身の指紋データを読み取らせ、自働改札機１０１は読み取った指紋データを、ＩＣカード乗車券１１１から読み取った指紋データ１４６と比較し、一致する場合のみ、子の進入を許可する（１２０５）。
【００６１】
この方式において、親を伴わない子が、指紋リーダ１０３を介して自働改札機１０１に指紋データを読み取らせて駅構内に進入する場合、自働改札機１０１にその指紋データは記録されたままになる。その子が降車駅で駅構内から退出する際には、指紋リーダ１０３を介して自働改札機１０１に指紋データを読み取らせても、自働改札機１０１には比較対象となる指紋データが存在しないため、エラーとなる。この方式では、本実施例の方式と比較して、子の決済も親の決済と同じタイミングで行えること特徴とする。
【００６２】
また、ネットワーク方式の構成において、各自働改札機１０１を直接ネットワーク接続するのではなく、サーバを介して接続するサーバ−ネットワーク方式について、以下、図１３を用いて、その特徴を説明する。この方式では、各駅の各自働改札機１０１がサーバを介してネットワークで結ばれている（１３０１）。親子グループが乗車駅で自働改札機１０１を通過して駅構内に進入する際には、親が最初にＩＣカード乗車券１１１を使用して進入する。その際、自働改札機１０１は、ＩＣカードリーダ／ライタ１０２を介してＩＣカード乗車券１１１から子の指紋データ１４６を読み取る（１３０２）。子の進入時には、子は指紋リーダ１０３を介して自働改札機１０１に自身の指紋データを読み取らせ、自働改札機１０１は読み取った指紋データをＩＣカード乗車券１１１から読み取った指紋データ１４６と比較し、一致する場合のみ、子の進入を許可する。自働改札機１０１はこのとき、一致した指紋データが登録されていたＩＣカード乗車券１１１から、例えばカード番号１４２や同行者テーブル２０２のレコード番号等、実際に同行する子を一意に決定するための情報を、実際に同行する子の情報としてサーバに転送する（１３０３）。親子グループが降車駅で自働改札機１０１を通過して駅構内から退出する際には、親が最初にＩＣカード乗車券１１１を使用して退出する。その際、自働改札機１０１はＩＣカード乗車券１１１から、子の指紋データ１４６とともにカード番号１４２を読み取り、そのカード番号１４２を基に、サーバから実際に同行する子の情報を取得することで、親と、その親に同行する子の乗車料金を計算し、ＩＣカード乗車券１１１の残高データ１４３から決済する（１３０４）。子の退出時には、子は指紋リーダ１０３を介して自働改札機１０１に自身の指紋データを読み取らせ、自働改札機１０１は読み取った指紋データを、ＩＣカード乗車券１１１から読み取った指紋データ１４６と比較し、一致する場合のみ、子の退出を許可する。（１３０５）この方式において、親を伴わない子が、指紋リーダ１０３を介して自働改札機１０１に指紋データを読み取らせて駅構内に進入する場合、その指紋データは自働改札機１０１からサーバに転送される。その子が降車駅で駅構内から退出する際には、指紋リーダ１０３を介して自働改札機１０１に指紋データを読み取らせても、自働改札機１０１には比較対象となる指紋データが存在しないため、エラーとなる。この方式では、本実施例の方式と比較して、子の決済も親の決済と同じタイミングで行えること、親の同行なしで子のみが不正に駅構内に進入する場合等には、サーバに転送される指紋データを基にブラックリストを作成して不正利用者検知することを特徴とする。
【００６３】
さらに、本発明の実施の形態として、子の先進入方式も考えられる。以下、図１４を用いて、本方式の特徴を説明する。この方式では、親子グループが乗車駅で自働改札機１０１を通過して駅構内に進入する際には、子が最初に指紋リーダ１０３を介して自働改札機１０１に自身の指紋データを読み取らせ進入する（１４０１）。子は指紋リーダ１０３を介して自働改札機１０１に自身の指紋データを読み取らせ、自働改札機１０１は、読み取った指紋データを記憶しておき、子の進入を許可する（１４０２）。子の進入が完了した後、親がＩＣカード乗車券１１１を使用して進入する。その際、自働改札機１０１は、ＩＣカードリーダ／ライタ１０２を介してＩＣカード乗車券１１１から読み取った指紋データ１４６を、子から読み取った指紋データと比較し、一致する指紋データを基に、実際に同行する子の情報をＩＣカード乗車券１１１に書き込む（１４０３）。親子グループが降車駅で自働改札機１０１を通過して駅構内から退出する際には、親が最初にＩＣカード乗車券１１１を使用して退出する。その際、自働改札機１０１は、実際に同行する子の情報を基に、ＩＣカード乗車券１１１から実際に同行する子の指紋データ１４６を読み取り、親と、その親に実際に同行する子の乗車料金を計算し、ＩＣカード乗車券１１１の残高データ１４３から決済する（１４０４）。子の退出時には、子は指紋リーダ１０３を介して自働改札機１０１に自身の指紋データを読み取らせ、自働改札機１０１は読み取った指紋データを、ＩＣカード乗車券１１１から読み取った指紋データ１４６と比較し、一致する場合のみ、子の進入を許可する（１４０５）。
【００６４】
この方式では、本実施例の方式と比較して、子の決済も親の決済と同じタイミングで行えること、先に挙げたネットワーク方式とは異なり、ネットワークを介さないことを特徴とする。
【産業上の利用可能性】
【００６５】
本発明は、本人認証に関わる分野で利用可能である。
【図面の簡単な説明】
【００６６】
【図１】自動改札機を鉄道システムとして利用する場合のブロック図である。
【図２】ＩＣカード乗車券の乗車券アプリケーションに記録されるデータテーブルである。
【図３】本実施例のスキーム全体の流れを示すフロー図である。
【図４】図３における「同行者の指紋登録」処理の詳細を説明するフロー図である。
【図５】指紋登録システムの出力手段で表示される、指紋登録システムの画面遷移図である。
【図６】図３における「自動改札機を利用して構内に進入」処理の詳細を説明するフロー図である。
【図７】図３における「自動改札機を利用して構内から退出」処理の詳細を説明するフロー図
【図８】図７における「子の乗車料金決済処理」処理の詳細を説明するフロー図である。
【図９】ＩＣカード乗車券を所有する利用者とその同行者が自動改札機を通過して構内に進入する際の指紋データの扱いを説明する図である。
【図１０】ＩＣカード乗車券を所有する利用者とその同行者が自動改札機を通過して構内から退出する際の指紋データの扱いを説明する図である。
【図１１】図３における「同行者の情報編集」処理の詳細を説明するフロー図である。
【図１２】本発明の実施形態の一例としてネットワーク利用方式を用いる場合の、親子グループの進入、退場順番、指紋データの扱い等を説明する図である。
【図１３】本発明の実施形態の一例として、サーバ−ネットワーク利用方式を用いる場合の、親子グループの進入、退場順番、指紋データの扱い等を説明する図である。
【図１４】本発明の実施形態の一例として子の先進入方式を用いる場合の、親子グループの進入、退場順番、指紋データの扱い等を説明する図である。
【符号の説明】
【００６７】
１０１・・・自動改札機、１０２・・・自動改札機のＩＣカードリーダ／ライタ、１０３・・・自動改札機の指紋リーダ、１０４・・・利用者検知器、１０５・・・状態通知機、１０６・・・通行阻止手段、１０７・・・自動改札機の通信手段、１０８・・・自動改札機の利用者情報記憶手段、１０９・・・自動改札機の制御手段、１１１・・・ＩＣカード乗車券、１４１・・・乗車券アプリケーション、１４３・・・残高データ、１４４・・・乗車駅データ、１４５・・・子名前データ、１４６・・・指紋データ、１４７・・・子決済情報、１４８・・・料金区分データ、１２１・・・指紋登録システム、１２２・・・指紋登録システムのＩＣカードリーダ／ライタ、１２３・・・指紋登録システムの指紋リーダ、１２４・・・指紋登録システムの入力手段、１２５・・・指紋登録システムの出力手段、１２６・・・指紋登録システムの登録情報記憶手段、１２７・・・指紋登録システムの制御手段、１５１・・・外部接続システム、１３１・・・外部決済システム。
【図１】
2005309883.tif 000003
【図２】
2005309883.tif 000004
【図３】
2005309883.tif 000005
【図４】
2005309883.tif 000006
【図５】
2005309883.tif 000007
【図６】
2005309883.tif 000008
【図７】
2005309883.tif 000009
【図８】
2005309883.tif 000010
【図９】
2005309883.tif 000011
【図１０】
2005309883.tif 000012
【図１１】
2005309883.tif 000013
【図１２】
2005309883.tif 000014
【図１３】
2005309883.tif 000015
【図１４】
2005309883.tif 000016